(57)【要約】【課題】スカウト画像を撮影する際の被曝量を低減する。【解決手段】１回のデータ収集を行った後、データ収集を行わないでテーブルの相対直線移動だけを行う期間すなわちデータ非収集期間を設け、データ収集期間ではデータを得るのに必要な第１のＸ線量とするが、データ非収集期間では第１のＸ線量よりＸ線量を下げる。【効果】被検体に不必要な被曝を生じさせず、スカウト画像を撮影する際の被曝量を低減することが出来る。【選択図】図６
2005349014.tif 000002
【特許請求の範囲】
【請求項１】
Ｘ線管と、複数の検出器列を有するマルチ検出器と、前記Ｘ線管および前記マルチ検出器に対して相対直線移動するテーブルと、データを収集するデータ収集期間と前記テーブルの相対直線移動だけを行いデータを収集しないデータ非収集期間とを交互に繰り返してデータを収集するデータ収集手段と、前記データ収集期間では第１のＸ線量とし前記データ非収集期間では前記第１のＸ線量よりＸ線量を下げるＸ線量制御手段とを具備したことを特徴とするＸ線ＣＴ装置。
【請求項２】
請求項１に記載のＸ線ＣＴ装置において、前記Ｘ線量制御手段は、前記データ収集期間では第１の管電流とし、前記データ非収集期間では前記第１の管電流より小さい管電流とすることを特徴とするＸ線ＣＴ装置。
【請求項３】
請求項１または請求項２に記載のＸ線ＣＴ装置において、前記Ｘ線量制御手段は、前記データ収集期間では第１の管電流とし、前記データ非収集期間では管電流を０とすることを特徴とするＸ線ＣＴ装置。
【請求項４】
請求項１から請求項３のいずれかに記載のＸ線ＣＴ装置において、前記Ｘ線量制御手段は、前記第１の管電流を前記データ収集期間によって変化させることを特徴とするＸ線ＣＴ装置。
【請求項５】
請求項１から請求項４のいずれかに記載のＸ線ＣＴ装置において、前記Ｘ線量制御手段は、前記データ収集期間では第１のＸ線ビーム幅とし、前記データ非収集期間では前記第１のＸ線ビーム幅より狭いＸ線ビーム幅とすることを特徴とするＸ線ＣＴ装置。
【請求項６】
請求項１から請求項５のいずれかに記載のＸ線ＣＴ装置において、前記Ｘ線量制御手段は、前記データ収集期間では第１のＸ線ビーム幅とし、前記データ非収集期間ではＸ線ビーム幅を０とすることを特徴とするＸ線ＣＴ装置。
【請求項７】
請求項１から請求項６のいずれかに記載のＸ線ＣＴ装置において、前記データ非収集期間では、前記マルチ検出器の幅より小さく且つ一つの検出器列の幅より大きい距離だけ前記テーブルを相対直線移動することを特徴とするＸ線ＣＴ装置。
【請求項８】
請求項１から請求項６のいずれかに記載のＸ線ＣＴ装置において、前記データ非収集期間では、前記マルチ検出器の幅と等しい距離だけ前記テーブルを相対直線移動することを特徴とするＸ線ＣＴ装置。
【発明の詳細な説明】
【技術分野】
【０００１】
本発明は、Ｘ線ＣＴ（Computed Tomography）装置に関し、さらに詳しくは、スカウト画像を撮影する際の被曝量を低減することが出来るＸ線ＣＴ装置に関する。
【背景技術】
【０００２】
従来、スカウトスキャン（scout scan）に高速モードと高精細モードとを設け、高速モードではＸ線ビーム幅を広くし且つテーブル速度を高速にし、高精細モードではＸ線ビーム幅を狭くし（例えば高速モードの１／２）且つテーブル速度を低速（例えば高速モードの１／２）にするＸ線ＣＴ装置が知られている（例えば、特許文献１参照。）。
【０００３】
【特許文献１】特開２００３−１３５４４２号公報（図４）
【発明の開示】
【発明が解決しようとする課題】
【０００４】
従来のＸ線ＣＴ装置では、高速モードと高精細モードとで広狭はあるものの、スカウトスキャン中、Ｘ線ビーム幅は一定で変化しない。また、高速モードと高精細モードとで高低はあるものの、スカウトスキャン中、テーブル速度は一定で変化しない。さらに、管電流も変化させていない。つまり、スカウトスキャン中、一定のＸ線照射を行っている。
しかし、マルチ検出器を用いたＸ線ＣＴ装置では、１回のデータ収集でデータを得られる幅が広いため、その幅だけテーブルを移動させている間はデータ収集を行う必要がなく、この間も一定のＸ線照射を行っていることは、被検体に不必要な被曝を生じさせている問題点がある。
そこで、本発明の目的は、スカウト画像を撮影する際の被曝量を低減することが出来るＸ線ＣＴ装置を提供することにある。
【課題を解決するための手段】
【０００５】
第１の観点では、本発明は、Ｘ線管と、複数の検出器列を有するマルチ検出器と、前記Ｘ線管および前記マルチ検出器に対して相対直線移動するテーブルと、データを収集するデータ収集期間と前記テーブルの相対直線移動だけを行いデータを収集しないデータ非収集期間とを交互に繰り返してデータを収集するデータ収集手段と、前記データ収集期間では第１のＸ線量とし前記データ非収集期間では前記第１のＸ線量よりＸ線量を下げるＸ線量制御手段とを具備したことを特徴とするＸ線ＣＴ装置を提供する。
上記構成において相対直線移動とは、Ｘ線管およびマルチ検出器を静止してテーブルを直線移動する場合、Ｘ線管およびマルチ検出器を直線移動してテーブルを静止する場合、Ｘ線管およびマルチ検出器とテーブルの両方を直線移動する場合のいずれをも含む意味である。
上記第１の観点によるＸ線ＣＴ装置では、マルチ検出器を用いているため、１回のデータ収集でデータを得られる幅が広い。従って、１回のデータ収集を行った後、データ収集を行わないでテーブルの相対直線移動だけを行う期間すなわちデータ非収集期間を設けることが出来る。そして、データ収集期間ではデータを得るのに必要な第１のＸ線量とするが、データ非収集期間では第１のＸ線量よりＸ線量を下げてしまう。これによって、被検体に不必要な被曝を生じさせず、スカウト画像を撮影する際の被曝量を低減することが出来る。
【０００６】
第２の観点では、本発明は、請求項１上記構成のＸ線ＣＴ装置において、前記Ｘ線量制御手段は、前記データ収集期間では第１の管電流とし、前記データ非収集期間では前記第１の管電流より小さい管電流とすることを特徴とするＸ線ＣＴ装置を提供する。
上記第２の観点によるＸ線ＣＴ装置では、スカウトスキャン中、管電流を変化させる。管電流を変化させる場合は、高速制御が可能になる。
【０００７】
第３の観点では、本発明は、上記構成のＸ線ＣＴ装置において、前記Ｘ線量制御手段は、前記データ収集期間では第１の管電流とし、前記データ非収集期間では管電流を０とすることを特徴とするＸ線ＣＴ装置を提供する。
上記第３の観点によるＸ線ＣＴ装置では、データ非収集期間では管電流を０とするため、この間の被曝を０にすることが出来る。
【０００８】
第４の観点では、本発明は、上記構成のＸ線ＣＴ装置において、前記Ｘ線量制御手段は、前記第１の管電流を前記データ収集期間によって変化させることを特徴とするＸ線ＣＴ装置を提供する。
上記第４の観点によるＸ線ＣＴ装置では、スカウトスキャン中、第１の管電流も変化させる。これにより、Ｘ線照射位置が移動することによる被検体の体厚や臓器の変化などに対応させて管電流を調整することが出来る。
【０００９】
第５の観点では、本発明は、上記構成のＸ線ＣＴ装置において、前記Ｘ線量制御手段は、前記データ収集期間では第１のＸ線ビーム幅とし、前記データ非収集期間では前記第１のＸ線ビーム幅より狭いＸ線ビーム幅とすることを特徴とするＸ線ＣＴ装置を提供する。
上記第５の観点によるＸ線ＣＴ装置では、スカウトスキャン中、Ｘ線ビーム幅を変化させる。これにより、管電流を一定にできるか又は管電流の変化を小さくできるため、管電流の変化がＸ線管に与える衝撃をなくせるか又は小さくできる。
【００１０】
第６の観点では、本発明は、上記構成のＸ線ＣＴ装置において、前記Ｘ線量制御手段は、前記データ収集期間では第１のＸ線ビーム幅とし、前記データ非収集期間ではＸ線ビーム幅を０とすることを特徴とするＸ線ＣＴ装置を提供する。
上記第６の観点によるＸ線ＣＴ装置では、データ非収集期間ではＸ線ビーム幅を０とするため、この間の被曝を０にすることが出来る。
【００１１】
第７の観点では、本発明は、上記構成のＸ線ＣＴ装置において、前記データ非収集期間では、前記マルチ検出器の幅より小さく且つ一つの検出器列の幅より大きい距離だけ前記テーブルを相対直線移動することを特徴とするＸ線ＣＴ装置を提供する。
上記第７の観点によるＸ線ＣＴ装置では、重複したデータが収集される領域を生じるが、データが収集されない領域を生じることを確実に防止できる。
【００１２】
第８の観点では、本発明は、上記構成のＸ線ＣＴ装置において、前記データ非収集期間では、前記マルチ検出器の幅と等しい距離だけ前記テーブルを相対直線移動することを特徴とするＸ線ＣＴ装置を提供する。
上記第８の観点によるＸ線ＣＴ装置では、重複したデータが収集される領域を生じずに済み、被曝を最小にできる。
【発明の効果】
【００１３】
本発明のＸ線ＣＴ装置によれば、スカウト画像を撮影する際の被曝量を低減することが出来る。
【発明を実施するための最良の形態】
【００１４】
以下、図に示す実施の形態により本発明をさらに詳細に説明する。なお、これにより本発明が限定されるものではない。
【実施例１】
【００１５】
図１は、本発明にかかるＸ線ＣＴ装置１００の構成ブロック図である。
このＸ線ＣＴ装置１００は、操作コンソール１と、寝台装置１０と、走査ガントリ２０とを具備している。
【００１６】
操作コンソール１は、操作者の入力を受け付ける入力装置２と、スキャン制御処理や画像再構成処理などを実行する中央処理装置３と、走査ガントリ２０で取得したデータを収集するデータ収集バッファ５と、生成したＣＴ画像を表示するＣＲＴ６と、プログラムやデータやＣＴ画像を記憶する記憶装置７とを具備している。
【００１７】
寝台装置１０は、撮影対象を乗せて走査ガントリ２０のボア（空洞部）に入れ出しするテーブル１２を具備している。テーブル１２は、寝台装置１０に内蔵するモータで昇降（ｙ方向）および直線移動（ｚ方向）される。寝台装置１０は、テーブル１２のｚ方向の移動量Ｌを検知するエンコーダを内蔵している。
【００１８】
走査ガントリ２０は、Ｘ線管２１と、Ｘ線コントローラ２２と、コリメータ２３と、マルチ検出器２４と、ＤＡＳ（Data Acquisition System）２５と、Ｘ線コントローラ２２，コリメータ２３，ＤＡＳ２５の制御を行う回転側コントローラ２６と、制御信号などを操作コンソール１や撮影テーブル１０とやり取りする制御コントローラ２９と、スリップリング３０とを具備している。
【００１９】
図２は、スカウトスキャン処理を示すフロー図である。
ステップＳ１では、操作者は、図３に示すように、スカウトスキャンの開始位置Ｐｓと終了位置Ｐｆとを設定する。例えば、Ｘ線ビームＢの中心を基準とするｚ座標上における開始位置Ｐｓのｚ座標Ｚｓと終了位置Ｐｆのｚ座標Ｚｆとを入力する。
ステップＳ２では、操作者は、テーブル速度Ｖを設定する。
【００２０】
ステップＳ３では、操作者は、図３に示すように、マルチ検出器幅Ｗｎと、重複幅Ｗｒと、後退幅Δとを設定する。また、非収集期間開口幅Ａｍを設定する。
マルチ検出器幅Ｗｎとは、データ収集期間におけるＸ線ビームＢのｚ方向の幅、つまり、データ収集期間のコリメータ２３の開口幅に相当する。図３では、検出器列４列分の幅になっている。
重複幅Ｗｒとは、ある回のデータ収集と次の回のデータ収集とで重複してデータが収集される領域の幅である。図３では、検出器列２列分の幅になっている。０≦Ｗｒ＜Ｗｎである。重複してデータを収集しないなら、Ｗｒ＝０とする。
後退幅Δとは、Ｘ線ビームＢの傾斜のために、マルチ検出器１２の端部のｚ座標とそこに入射するＸ線ビームＢが被検体Ｋを透過する位置のｚ座標とがずれる幅である。Ｘ線ビームＢの傾斜を無視するなら、Δ＝０とする。
また、非収集期間開口幅Ａｍとは、データ非収集期間におけるＸ線ビームＢのｚ方向の幅、つまり、データ非収集期間のコリメータ２３の開口幅である。０≦Ａｍ≦データ収集期間開口幅である。非収集期間開口幅Ａｍは、複数回のデータ収集期間のそれぞれに付した番号ｍに応じて設定しうる。コリメータ２３の開口幅を変化させないなら、Ａｍ＝データ収集期間開口幅とする。
【００２１】
ステップＳ４では、操作者は、収集期間管電流Ｉｍと、非収集期間管電流ｉｍとを設定する。
収集期間管電流Ｉｍとは、データ非収集期間におけるＸ線管２１の管電流である。収集期間管電流Ｉｍは、複数回のデータ収集期間のそれぞれに付した番号ｍに応じて設定しうる。
非収集期間管電流ｉｍとは、データ非収集期間におけるＸ線管２１の管電流である。０≦ｉｍ≦Ｉｍである。非収集期間管電流ｉｍは、複数回のデータ収集期間のそれぞれに付した番号ｍに応じて設定しうる。管電流を変化させないなら、ｉｍ＝Ｉｍとする。
【００２２】
ステップＳ５では、寝台装置１０は、テーブル１２をテーブル速度Ｖで直線移動させる。
ステップＳ６では、データ収集番号ｍを０に初期化する。
【００２３】
ステップＳ７では、コリメータ２３の開口幅を非収集期間開口幅Ａｍとする。例えば、図５に示すように、非収集期間開口幅Ａ０〜Ａ５が設定されており、ｍ＝０なら、コリメータ２３の開口幅をＡ０とする。
【００２４】
ステップＳ８では、管電流を非収集期間管電流ｉｍとする。例えば、図６に示すように、非収集期間管電流ｉ０〜ｉ５が設定されており、ｍ＝０なら、管電流をｉ０とする。
【００２５】
ステップＳ９では、データ収集番号ｍのデータ収集位置がＸ線ビームＢの中心に到達するまで待ち、到達したならステップＳ１０へ進む。なお、テーブル１２の移動量Ｌが次式を満足すれば、データ収集番号ｍのデータ収集位置がＸ線ビームＢの中心に到達したと判定する。
Ｌ≧Ｐｓ＋Ｗｎ／２−Δ＋ｍ×（Ｗｎ−Ｗｒ）
例えばｍ＝０なら、
Ｌ≧Ｐｓ＋Ｗｎ／２−Δ
であり、これは図４のｍ＝０に相当する。
また、ｍ＝１なら、
Ｌ≧Ｐｓ＋Ｗｎ／２−Δ＋（Ｗｎ−Ｗｒ）
であり、これは図４のｍ＝１に相当する。
【００２６】
ステップＳ１０では、例えば図５に示すように、コリメータ２３の開口幅を収集期間開口幅Ｗｎとする。
ステップＳ１１では、管電流を収集期間管電流Ｉｍとする。例えば、図６に示すように、収集期間管電流Ｉ０〜Ｉ５が設定されており、ｍ＝０なら、管電流をＩ０とする。
ステップＳ１２では、データを収集する。
【００２７】
ステップＳ１３では、終了位置Ｐｆのデータを収集済みか判定し、収集済みでないならステップＳ１４へ進み、収集済みならステップＳ１５へ進む。なお、テーブル１２の移動量Ｌが次式を満足すれば、終了位置Ｐｆのデータを収集済みと判定する。
Ｌ≧Ｐｆ−Ｗｎ／２＋Δ
【００２８】
ステップＳ１４では、データ収集番号ｍを１だけインクリメントし、ステップＳ７に戻る。
【００２９】
ステップＳ１５では、管電流を０にし、コリメータ２３の開口幅を０にする。
ステップＳ１６では、テーブル１２の直線移動を停止する。そして、処理を終了する。
【００３０】
図５は、Ｘ線ビームＢの幅すなわちコリメータ２３の開口幅の変化を示している。
データ収集期間では開口幅はＷｎとなり、データ非収集期間では開口幅はＡ０〜Ａ５となる。
【００３１】
図６は、管電流の変化を示している。
データ収集期間では管電流はＩ０〜Ｉ５となり、データ非収集期間では管電流はｉ０〜ｉ５となる。
【００３２】
実施例１のＸ線ＣＴ装置１００によれば、データ非収集期間は、Ｘ線ビーム幅が狭くなり、且つ、管電流が小さくなるから、スカウト画像を撮影する際の被検体Ｋの被曝量を低減することが出来る。
【実施例２】
【００３３】
図７に示すように非収集期間開口幅Ａ０〜Ａ５を０としてもよい。このとき、管電流をデータ収集期間管電流のまま一定としてもよい。
【実施例３】
【００３４】
図８に示すように非収集期間管電流ｉ０〜ｉ５を０としてもよい。このとき、コリメータ２３の開口幅をデータ収集期間開口幅のまま一定としてもよい。
【実施例４】
【００３５】
図９に示すように、Ｘ線ビームＢを平行とみなしてもよい。このときは、Δ＝０とする。また、データの重複収集をしなくてもよい。このときは、Ｗｒ＝０とする。
図１０に示すように、非収集期間開口幅Ａ０〜Ａ２を０としてもよい。このとき、管電流をデータ収集期間管電流のまま一定としてもよい。
あるいは、図１１に示すように非収集期間管電流ｉ０〜ｉ２を０としてもよい。このとき、コリメータ２３の開口幅をデータ収集期間開口幅のまま一定としてもよい。
【産業上の利用可能性】
【００３６】
本発明のＸ線ＣＴ装置は、スカウトスキャンに利用できる。
【図面の簡単な説明】
【００３７】
【図１】実施例１に係るＸ線ＣＴ装置を示す構成ブロック図である。
【図２】実施例１に係るスカウトスキャン処理を示すフロー図である。
【図３】スカウトスキャンの開始位置と終了位置を示す説明図である。
【図４】実施例１に係るデータ収集期間を示す説明図である。
【図５】実施例１に係る開口幅の変化を示す説明図である。
【図６】実施例１に係る管電流の変化を示す説明図である。
【図７】実施例２に係る開口幅の変化を示す説明図である。
【図８】実施例３に係る管電流の変化を示す説明図である。
【図９】実施例４に係るデータ収集期間を示す説明図である。
【図１０】実施例４に係る開口幅の変化を示す説明図である。
【図１１】実施例４に係る管電流の変化を示す説明図である。
【符号の説明】
【００３８】
１２          テーブル
２１          Ｘ線管
２２          Ｘ線コントローラ
２３          コリメータ
２４          マルチ検出器
１００        Ｘ線ＣＴ装置
【図１】
2005349014.tif 000003
【図２】
2005349014.tif 000004
【図３】
2005349014.tif 000005
【図４】
2005349014.tif 000006
【図５】
2005349014.tif 000007
【図６】
2005349014.tif 000008
【図７】
2005349014.tif 000009
【図８】
2005349014.tif 000010
【図９】
2005349014.tif 000011
【図１０】
2005349014.tif 000012
【図１１】
2005349014.tif 000013